(57)【要約】【課題】機械室から空気清浄フィルターを取り外すことなく清掃できること。【解決手段】機械室３は、前方に開くキックプレート２３を備え、空気清浄フィルター３１は、キックプレート２３を開いたときの上面３４に配置され、上面３４には、空気清浄フィルター３１のフィルター面３２が移動自在な清掃機構３５を備える。【選択図】図２
2020142010.tif 000002
【特許請求の範囲】
【請求項１】
機械室に凝縮器および送風機を備え、前記凝縮器の風上側に空気清浄フィルターを備えたショーケースであって、
前記機械室は、外装パネルを備え、
前記空気清浄フィルターは、前記外装パネルに設けた吸込みグリルに配置され、
前記外装パネルの前記吸込みグリルの近傍には、前記空気清浄フィルターのフィルター面が移動自在な清掃機構が取り付けられている
ことを特徴とするショーケース。
【請求項２】
平置き型のショーケースであって、
前記外装パネルは、前方に開くキックプレートであり、
前記空気清浄フィルターは、前記キックプレートを開いたときの上面に配置されていることを特徴とする請求項１に記載のショーケース。
【請求項３】
前記清掃機構が前記フィルター面を挟む一対の挟み部材を備え、
いずれか一方の挟み部材に前記フィルター面を清掃可能な清掃部が保持されたことを特徴とする請求項１又は請求項２に記載のショーケース。
【請求項４】
前記清掃部を保持した挟み部材の内側に前記清掃部で取り除いた塵埃を貯留する貯留部を備えたことを特徴とする請求項３に記載のショーケース。
【請求項５】
前記貯留部の開口縁が前記貯留部の内側上方に向けて折り曲げられたことを特徴とする請求項４に記載のショーケース。
【請求項６】
前記空気清浄フィルターにハンドル部材を備えたことを特徴とする請求項１乃至５のいずれかに記載のショーケース。
【発明の詳細な説明】
【技術分野】
【０００１】
本発明は、ショーケースに関する。
【背景技術】
【０００２】
一般に、都市型スーパー、コンビニエンスストア等において使用されるショーケースが知られている。この種のショーケースのうち、平置き型のショーケースでは、下部に、機械室を備え、上部に、上面を開口した陳列室を備えるものがある（例えば、特許文献１を参照）。そして、機械室には凝縮器および送風機が配置され、凝縮器の上流側には空気清浄フィルターが配置されている。
この空気清浄フィルターは、一般に、上記機械室のうち、吸い込みグリルと凝縮器の間に設けたフィルター枠にはめ込まれている。
【先行技術文献】
【特許文献】
【０００３】
【特許文献１】特開２０１８−１３０１３９号公報
【発明の概要】
【発明が解決しようとする課題】
【０００４】
しかしながら、従来の技術では、空気清浄フィルターの清掃において、機械室のフィルター枠から一度空気清浄フィルターを取り外して清掃しなければならない。
本発明は、上述した事情に鑑みてなされたものであり、機械室から空気清浄フィルターを取り外すことなく清掃できるショーケースを提供することを目的とする。
【課題を解決するための手段】
【０００５】
上記目的を達成するために、本発明は、機械室に凝縮器および送風機を備え、前記凝縮器の風上側に空気清浄フィルターを備えたショーケースであって、前記機械室は、外装パネルを備え、前記空気清浄フィルターは、前記外装パネルに設けた吸込みグリルに配置され、前記外装パネルの前記吸込みグリルの近傍には、前記空気清浄フィルターのフィルター面が移動自在な清掃機構が取り付けられていることを特徴とする。
【発明の効果】
【０００６】
本発明によれば、空気清浄フィルターのフィルター面が移動自在な清掃機構を備えたため、空気清浄フィルターを移動させるだけで簡単に清掃できる。
【図面の簡単な説明】
【０００７】
【図１】本発明の実施形態に係る平置き型のショーケースの横断面図
【図２】キックプレートを開いた状態を示す断面図
【図３】図１のＩＩＩ−ＩＩＩ断面を上から見た平面図
【図４】図４ａはキックプレート、空気清浄フィルター、清掃機構を示す展開図、図４ｂは図４ａのｂ−ｂ断面図、図４ｃは図４ａの矢視ｃ図
【図５】キックプレート、空気清浄フィルター、清掃機構を示す分解図
【図６】図４ａのＶ−Ｖ断面図
【発明を実施するための形態】
【０００８】
第１の発明におけるショーケースは、機械室に凝縮器および送風機を備え、前記凝縮器の風上側に空気清浄フィルターを備えたショーケースであって、前記機械室は、外装パネルを備え、前記空気清浄フィルターは、前記外装パネルに設けた吸込みグリルに配置され、前記外装パネルの前記吸込みグリルの近傍には、前記空気清浄フィルターのフィルター面が移動自在な清掃機構が取り付けられていることを特徴とする。
この発明によれば、空気清浄フィルターを移動させるだけで、空気清浄フィルターを簡易に清掃することができる。
【０００９】
第２の発明におけるショーケースは、第１の発明において、平置き型のショーケースであって、前記外装パネルは、前方に開くキックプレートであり、前記空気清浄フィルターは、前記キックプレートを開いたときの上面に配置されていることを特徴とする。
この発明によれば、キックプレートを開いたときの上面に清掃機構が配置されているため、空気清浄フィルターを移動させるだけで清掃できる。
【００１０】
第３の発明におけるショーケースは、第１の発明又は第２の発明において、前記清掃機構が前記フィルター面を挟む一対の挟み部材を備え、いずれか一方の挟み部材に前記フィルター面を清掃可能な清掃部が保持されたことを特徴とする。
この発明によれば、いずれか一方の挟み部材に清掃部を保持したため、空気清浄フィルターを移動させるだけで、清掃部がフィルター面にあたり、空気清浄フィルターを容易に清掃できる。
【００１１】
第４の発明におけるショーケースは、第３の発明において、前記清掃部を保持した挟み部材の内側に前記清掃部で取り除いた塵埃を貯留する貯留部を備えたことを特徴とする。
この発明によれば、清掃部を保持した挟み部材の内側に貯留部を備えたため、清掃部で取り除いた塵埃を容易に捕集できる。
【００１２】
第５の発明におけるショーケースは、第４の発明において、前記貯留部の開口縁が前記貯留部の内側に向けて折り曲げられたことを特徴とする。
この発明によれば、貯留部の開口縁を貯留部の内側に向けて折り曲げたため、塵埃が外にこぼれず、清掃部で取り除いた塵埃を、貯留部に効率よく回収できる。
【００１３】
第６の発明におけるショーケースは、第１の発明から第５の発明において、前記空気清浄フィルターにハンドル部材を備えたことを特徴とする。
この発明によれば、空気清浄フィルターにハンドル部材を備えたため、空気清浄フィルターの移動操作が容易になる。
【００１４】
以下、本発明の実施形態について、図面を参照しながら説明する。なお、本実施形態によって本発明が限定されるものではない。図１は、平置き型のショーケース１の横断面図である。図１におけるショーケース１の横断面図を基準として、左側を前、右側を後、上側を上、下側を下と定義する。
【００１５】
図１に示すように、ショーケース１は、下部に、機械室３を備え、上部に、上面を開口した陳列室５を備えている。陳列室５は、断熱材７により囲われている。断熱材７は、熱交換室１１を囲っている。熱交換室１１には、蒸発器１３および蒸発器ファン１５が配置されている。機械室３には、凝縮器１７、凝縮器ファン（送風機）１９および圧縮機２１が配置されている。ショーケース１の底部には、キャスター２２が設けられている。
圧縮機２１、凝縮器１７および蒸発器１３は図示を省略した冷媒配管により接続され、冷凍サイクルを構成している。
【００１６】
機械室３の前面には、キックプレート２３（外装パネル）が設けられている。
キックプレート２３は、図２に示すように、ほぼ水平状態まで開く扉である。キックプレート２３の下端部は、フレーム２７に支持されている。キックプレート２３の上端部には、取っ手２８が備えられている。取っ手２８は、所定の長さだけ前方に延びた側面視コ字状に形成されている。この所定の長さは、キックプレート２３を開いたときに、取っ手２８が地面と当接することで、キックプレート２３をほぼ水平状態に保つことができる長さである。取っ手２８は、キックプレート２３を開くときには取っ手として機能し、キックプレート２３を開いたときには、キックプレート２３を支える脚として機能している。
【００１７】
図１に示すように、キックプレート２３には、横に延びた空気取り込み用の吸込みグリル（以下、スリット２９。）が形成されている。スリット２９は、図３に示すように、凝縮器１７の横方向の幅一杯に亘って形成されている。
【００１８】
図４ａは、キックプレート２３、空気清浄フィルター３１、および、フィルターの清掃機構３５を示す展開図である。
空気清浄フィルター３１は、キックプレート２３が水平状態まで開かれたとき、扉の上面３４（図２参照。）に配置される。空気清浄フィルター３１は、凝縮器１７の風上側であって、凝縮器１７とほぼ同じ幅の領域に配置されている。スリット２９と空気清浄フィルター３１と凝縮器１７とは、キックプレート２３をショーケース１に装着したときに、正面視で重なる位置に配置されている。
【００１９】
図４ｂ及び図５に示すように、キックプレート２３の長手方向の両側縁には、空気清浄フィルター３１を収納する収納ガイド２３Ａが固定されている。図４ｂに示すように、収納ガイド２３Ａは、キックプレート２３から立ち上がる立ち上がり部７１と、立ち上がり部７１の上端部に設けられるガイド部７２と、を備える。ガイド部７２は、側面視においてコの字状となっている。空気清浄フィルター３１は、ガイド部７２に沿ってスライド可能である。
ガイド部７２の上部には、ヘミング曲げ加工７３が施されている。ヘミング曲げ加工７３によりガイド部７２の切り口が内側に向けられ曲げ部分Ｒが形成されるので、ガイド部７２をスライドする空気清浄フィルター３１が傷つきにくい形状とされている。
この収納ガイド２３Ａは、キックプレート２３と別部材とされている。空気清浄フィルター３１は、収納ガイド２３Ａに沿ってキックプレート２３をスライド可能とされている。なお、収納ガイド２３Ａは、キックプレート２３の両側部をコの字状に折り曲げることにより形成してもよい。
【００２０】
空気清浄フィルター３１は、図４ａの矢印Ｚで示すように、長手方向から、収納ガイド２３Ａの内側にスライドして挿入される。図４ｂ及び図５に示すように、スリット２９の右部（スリット２９に隣接する部分であって空気清浄フィルター３１をキックプレート２３の挿入する側とは逆の側）には、キックプレート２３に挿入した空気清浄フィルター３１を位置決めする位置決め部材５２が設けられる。収納ガイド２３Ａの内側にスライドして挿入された空気清浄フィルター３１は、位置決め部材５２により位置決めされる。空気清浄フィルター３１がキックプレート２３に装着されたとき、後述するハンドル部材３３は、位置決め部材５２の上方に位置する。
なお、空気清浄フィルター３１は、図４ａの矢印Ｚで示す方向と逆の方向から収納ガイド２３Ａの内側にスライドして挿入可能としてもよい。
【００２１】
図４ｃに示すように、キックプレート２３の図中左端部（空気清浄フィルター３１をキックプレート２３に装着する際の手前側の一端部）には、スロープ部材７４が備えられている。スロープ部材７４は、三角形状に折り曲げ形成されている。スロープ部材７４は、キックプレート２３の図中左端部に設けられる壁７５に当接する当接部７７と、空気清浄フィルター３１がスライド可能なスロープ部７６と、を備える。キックプレート２３の図中左端部にスロープ部７６を備えることにより、空気清浄フィルター３１を円滑にスライドさせることができる。
【００２２】
空気清浄フィルター３１は、メッシュ状の素材であり、フィルター面３２を備えている。空気清浄フィルター３１は、後述するように、固定部材４１と被せ部材４３とで挟んだ状態で、矢印Ｙの方向に往復動で操作できる。空気清浄フィルター３１は、右端部（空気清浄フィルター３１をキックプレート２３に装着する際の奥側の一端部）にハンドル部材３３を備える。空気清浄フィルター３１は、両端部に帯状のハンドル部材３３を備えていてもよい。空気清浄フィルター３１は、左端部（空気清浄フィルター３１をキックプレートに装着する際の手前側の一端部）に帯状のハンドル部材３３を備えていてもよい。ハンドル部材３３は、空気清浄フィルター３１の移動操作が容易になるものであればよく、空気清浄フィルター３１の移動操作が容易になる位置に備えることができる。
【００２３】
図４ａに示すように、キックプレート２３の上面３４の、スリット２９から図中左端にずれた位置には、清掃機構３５が固定されている。清掃機構３５は、キックプレート２３の上面３４に固定された固定部材４１（挟み部材）と、固定部材４１に装着される被せ部材４３（挟み部材）と、を備える。
【００２４】
固定部材４１は、図６に示すように、断面略Ｃ字状に形成されている。固定部材４１は、キックプレート２３の上面３４に固定されている。
固定部材４１の内側には、ブラシ保持部材４７が、図４ａの矢印Ｎに示すように、長手方向にスライドさせて挿入される。
ブラシ保持部材４７には、ブラシ（清掃部）４５が取り付けられる。ブラシ４５は、長手方向にスライドさせて取り外し自在である。ブラシ４５は、フィルター面３２のうち、空気の流れの上流側の面、即ち、吸い込み側のフィルター面３２Ａに対向して配置される。ブラシ４５は、空気清浄フィルター３１の短手方向の幅とほぼ同じ幅を備えている。ブラシ４５は、吸い込み側のフィルター面３２Ａに付着した塵埃を取り除くことができる形態を備える。清掃機構３５はブラシ４５に限らず、空気清浄フィルター３１に付着した塵埃を取り除くことができればよい。
【００２５】
固定部材４１は、吸い込み側のフィルター面３２Ａとの対向部が開口し、一対の側壁４１Ａを備え、各側壁４１Ａの先端に繋がる、長手方向に延びた開口縁４１Ｂは、内側上方に折り曲げられている。開口縁４１Ｂを内側上方に折り曲げたことにより、塵埃が外にこぼれることを抑制することができ、ブラシ４５で取り除いた塵埃を、固定部材４１の内側に効率よく回収できる。
固定部材４１の内側で、ブラシ保持部材４７の上は、空気清浄フィルター３１から取り除かれた塵埃の貯留部５０となる。
【００２６】
清掃機構３５の被せ部材４３は、空気清浄フィルター３１のフィルター面３２のうち、空気の流れの下流側の面、即ち、吐き出し側のフィルター面３２Ｂに対向して配置されている。この被せ部材４３は、図４ａ又は図２に示すように、一端がヒンジ４３Ａにより、固定部材４１の一端に連結されており、ヒンジ４３Ａを中心にして、他端が矢印Ｗの方向に回動自在になっている。
図６に示すように、回動した後は、被せ部材４３と固定部材４１とが、空気清浄フィルター３１を挟んで対向する。対向させた後、図４ａ又は図２に示すように、被せ部材４３の端部４３Ｂと、固定部材４１に嵌ったブラシ保持部材４７の端部４７Ｂとが、連結ボルト５１により連結される。
【００２７】
つぎに、作用を説明する。
通常運転時、機械室３のキックプレート（外装パネル）２３は閉じられている。
清掃機構３５は、図３に示すように、凝縮器１７の外側の、凝縮器１７に向かう風の抵抗とならない位置に配置されている。
空気清浄フィルター３１の清掃時には、まず運転を停止し、キックプレート２３を、図２に示すように、ほぼ水平状態となるまで開く。
この状態では、キックプレート２３に配置された、空気清浄フィルター３１の、吐き出し側のフィルター面３２Ｂが上方に露出する。
【００２８】
次いで、図４ａに示すように、ユーザーが、清掃機構３５の被せ部材４３を、矢印Ｗと逆の方向に回動し、開いた状態にする。そして、ハンドル部材３３を持って、空気清浄フィルター３１を、図４ａの図中左方にスライドさせ、空気清浄フィルター３１の先端を、上述した固定部材４１の上に載せる。空気清浄フィルター３１の先端を、固定部材４１の上に載せたら、被せ部材４３を、矢印Ｗの方向に回動させて、被せ部材４３と固定部材４１とを対向して連結する。
【００２９】
被せ部材４３と固定部材４１により、空気清浄フィルター３１を挟んだ状態で、ユーザーが、ハンドル部材３３を持って、空気清浄フィルター３１を、図４ａの図中左方にスライドさせる。この際には、矢印Ｙの方向に微妙に往復移動させるとよい。
矢印Ｙの方向に往復移動させると、ブラシ４５が、フィルター面３２のうち、吸い込み側のフィルター面３２Ａに対向しているため、吸い込み側のフィルター面３２Ａに付着した塵埃をかき落とす。
かき落とした塵埃は、固定部材４１の内側の貯留部５０に捕集される。長手方向の開口縁４１Ｂを、内側上方に折り曲げているため、塵埃が外にこぼれることを抑制でき、塵埃を貯留部５０に効率よく回収できる。
ハンドル部材３３を持って、空気清浄フィルター３１を、図４ａの図中左方に移動させる際、図４ｃに示すように、スロープ部７６を乗り上げて、空気清浄フィルター３１が移動するため、作業性が格段に向上する。
【００３０】
以上説明したように、本実施の形態によれば、機械室３は、外装パネル（キックプレート２３）を備え、空気清浄フィルター３１は、外装パネルに設けた吸込みグリル（スリット２９）に配置され、外装パネルの吸込みグリルの近傍には、空気清浄フィルター３１のフィルター面３２が移動自在な清掃機構３５を備えた。
これにより、空気清浄フィルター３１を移動させるだけで、空気清浄フィルター３１を簡易に清掃できる。
【００３１】
本実施の形態によれば、平置き型のショーケース１であって、外装パネルは、前方に開くキックプレート２３であり、空気清浄フィルター３１は、キックプレート２３を開いたときの上面３４に配置されている。
この発明によれば、清掃機構３５が上面３４に配置されているため、キックプレート２３を開いたときの上面３４において、空気清浄フィルター３１をほぼ水平方向に移動させるだけで簡単に清掃できる。
【００３２】
また、本実施の形態によれば、清掃機構３５がフィルター面３２を挟む固定部材４１及び被せ部材４３（一対の挟み部材）を備え、固定部材４１に挿入されるブラシ保持部材４７（いずれか一方の挟み部材として、固定部材４１が相当している）にブラシ４５（清掃部）を保持した。
これによれば、空気清浄フィルター３１を移動させるだけでブラシ４５が吸い込み側のフィルター面３２Ａにあたり、吸い込み側のフィルター面３２Ａがブラシ４５の上を移動し、空気清浄フィルター３１を容易に清掃できる。
【００３３】
また、本実施の形態によれば、ブラシ４５（清掃部）を保持した固定部材４１（挟み部材）の内側にブラシ４５で取り除いた塵埃を貯留する貯留部５０を備えた。
これによれば、ブラシ４５で取り除いた塵埃を容易に捕集できる。
【００３４】
また、本実施の形態によれば、固定部材４１の開口縁４１Ｂが、内側の貯留部５０に向けて上方に折り曲げられた。
これによれば、塵埃が外にこぼれることを抑制でき、ブラシ４５で取り除いた塵埃を、効率よく回収できる。開口縁４１Ｂと当接するフィルター面３２は、網状とされているため、開口縁４１Ｂを内側上方に向けて折り曲げても、フィルター面３２を押し上げることで塵埃が外にこぼれなくなる。
【００３５】
本実施の形態によれば、空気清浄フィルター３１を移動させるためのハンドル部材３３を備えた。
これによれば、空気清浄フィルター３１の移動操作が容易になる。
【００３６】
本実施の形態によれば、平置き型のショーケース１であって、機械室３がほぼ水平状態まで開くキックプレート２３を備え、空気清浄フィルター３１がキックプレート２３を開いたときの上面３４に配置される。
これによれば、キックプレート２３をほぼ水平状態まで開いたときの上面３４に空気清浄フィルター３１が配置されているため、空気清浄フィルター３１がほぼ水平状態で露出し、ほぼ水平状態で、空気清浄フィルター３１を移動させるだけで清掃でき、空気清浄フィルター３１の清掃が容易である。
【００３７】
以上、一実施形態について説明したが、本発明は、この実施形態に限定されるものではない。固定部材４１及び被せ部材４３の形態は、吸い込み側のフィルター面３２Ａに付着した塵埃を取り除くことができれば、如何なる形態でもよい。
【００３８】
清掃機構３５は、図４ａに示すように、キックプレート２３の上面３４の、スリット２９から図中左端にずれた位置に配置したが、この配置位置は、図中右端にずれた位置でもよく、あるいは、スリット２９の図中左端または右端に、空気清浄フィルター３１を予め挟んだ状態で、スリット２９と重ねて配置してもよい。予め挟んだ状態で、スリット２９と重ねて配置すれば、空気清浄フィルター３１の清掃時には、清掃機構３５に、空気清浄フィルター３１を挟む作業が省略でき、空気清浄フィルター３１を移動させるだけで清掃でき、清掃作業が容易である。
【００３９】
ハンドル部材３３は、空気清浄フィルター３１の両側に設けているが、片側に設けただけでもよい。ブラシ４５の材質は、吸い込み側のフィルター面３２Ａを傷付けない材質が望ましい。また、上記実施形態では、平置き型のショーケース１への適用について説明したが、オープンショーケース、リーチインショーケースなど、各種のショーケースへの適用が可能なことは言うまでもない。
【符号の説明】
【００４０】
１  ショーケース
３  機械室
２３  キックプレート（外装パネル）
３１  空気清浄フィルター
３２  フィルター面
３２Ａ  吸い込み側のフィルター面
３２Ｂ  吐き出し側のフィルター面
３３  ハンドル部材
３４  上面
３５  清掃機構
４１  固定部材（挟み部材）
４１Ａ  開口縁
４３  被せ部材（挟み部材）
４５  ブラシ
４７  ブラシ保持部材
５０  貯留部
【図１】
2020142010.tif 000003
【図２】
2020142010.tif 000004
【図３】
2020142010.tif 000005
【図４】
2020142010.tif 000006
【図５】
2020142010.tif 000007
【図６】
2020142010.tif 000008